(57)【要約】【課題】浴槽パン内に、浴槽パン内に排水や泡が逆流しない排水構造を備えた浴室ユニットを提供する。【解決手段】排水受け部を浴槽パンの排水口からの排水を受けるように配置し、排水受け部から延出する排水ノズルを、洗い場パン側の排水経路と連結し、浴槽排水管挿入孔と浴槽パン排水孔とが穿設された蓋を、浴槽パンの排水口に嵌め込み、浴槽の排水口から延出する浴槽排水管を浴槽排水管挿入孔を介して排水受け部内に臨むように装着し、フロート弁を排水受け部側から浴槽パンの排水口側へ逆流しようとする排水の水圧によって浮き上がり、排水孔を下方から塞ぐように蓋の下方に設けた浴室ユニットにおいて、浴槽排水管から浴槽排水管挿入孔を介して排水受け部側へ流入する浴槽排水を、直接排水ノズルに流入させるガイド管路を、排水受け部内に設けた。【選択図】      図２
2006002359.tif 000002
【特許請求の範囲】
【請求項１】
升状をした排水受け部と、この排水受け部から側方に向かって延出する排水ノズルとを
備える配管材が、洗い場パン側の排水経路と連結された前記排水受け部によって浴槽パン
の排水口からの排水を受けるように配置されるとともに、前記排水ノズルが、洗い場パン
側の排水経路と連結されていて、
浴槽排水管挿入孔と浴槽パンから排水経路となる排水孔とが穿設された蓋が、浴槽パンの
排水口に嵌め込まれており、
浴槽が浴槽パンによって下方から受けられ、浴槽の排水口から延出する浴槽排水管が前記
浴槽排水管挿入孔を介して排水受け部内を臨むように装着されていて、
排水受け部側から浴槽パンの排水口側へ逆流しようとする排水の水圧によって浮き上がり
、前記排水孔を下方から塞ぐフロート弁が、前記蓋の下方に設けられている浴室ユニット
であって、
浴槽排水管から浴槽排水管挿入孔を介して排水受け部側へ流入する浴槽排水を、直接排水
ノズルに流入させるガイド管路が、排水受け部内に設けられていることを特徴とする浴室
ユニット。
【請求項２】
一端が排水受け部の排水ノズル開口端に略連結され、他端が排水受け部内に開口する第
１管路部を備え、排水受け部の底に沿って設けられた第１管路部材と、
一端が蓋の浴槽排水管挿入孔に連結され、エルボ形状をした第１管路部と略同径の第２管
路部と、第２管路部の他端から軸方向に延出する第１管路部の上側周面に上方から重合さ
れる重合部とを有する第２管路部材とを備え、
第２管路部材の重合部が第１管路部の上側周面に上方から重合され、第２管路部の他端と
、第１管路部の他端とがその端面を突き合わせた状態でガイド管路が形成される請求項１
に記載の浴室ユニット。
【発明の詳細な説明】
【技術分野】
【０００１】
本発明は、浴室ユニット、特に、その浴槽パン部分の排水構造に関する。
【背景技術】
【０００２】
浴槽を洗い場パンに隣接して設けられた浴槽パンで下方から受けるようにした浴室ユニ
ットにおいては、図９に示すような浴槽ユニットがすでに提案されている（たとえば、特
許文献１参照）。
この浴室ユニットは、図９に示すように、浴槽パン１００および浴槽２００からの排水
と、洗い場パン３００からの排水とをトラップを備えた連通管路４００に集合させたのち
、この連通管路４００に接続された排水管５００に排水するようになっている。
【０００３】
また、浴槽パン１００の排水口には、排水孔７１０と、浴槽排水管挿通孔７２０が穿設
された目皿状の蓋７００が嵌め込まれ、浴槽パン１００内に流れ込んだ湯や水は、排水孔
７１０から浴槽２００からの排水は、浴槽２００の排水口から延出し、浴槽排水管挿通孔
７２０にその端部が挿通された浴槽排水管２２０を介して直接連通管路４００の一部を構
成する升状をした排水受け部４２０内に流れ込むようになっている。
さらに、蓋７００の下方には、フロート弁８００が設けられ、連通管路４００を逆流し
ようとする排水によって下方から水圧がかかったとき、この水圧によって浮き上がり、排
水孔７１０を下方から塞ぎ、洗い場パン３００から連通管路４００に流入した排水が、排
水孔７１０を介して浴槽パン１００側へ逆流して、浴槽パン１００内を汚染しないように
している。
【０００４】
【特許文献１】特開２００１−１０７４１２号公報
【発明の開示】
【発明が解決しようとする課題】
【０００５】
しかし、上記のような浴室ユニットにおいては、浴槽２００の排水が浴槽排水管２２０
を介して連通管路４００の排水受け部４２０内に直接流れ込むようになっているが、浴槽
２００の洗浄水に洗浄剤が含まれている場合、排水が排水受け部４２０の底に当たって泡
立ち、フロート弁８００によって排水孔７１０が閉じられていない状態では、排水受け部
４２０内で発生した泡が排水孔７１０を介して浴槽パン１００内に入り込み浴槽パン１０
０内を汚染し、その腐敗臭が浴室内に漏れ出たりする恐れがある。
【０００６】
本発明は、上記事情に鑑みて、浴槽パン内に、排水や泡が逆流しない排水構造を備えた
浴室ユニットを提供することを目的としている。
【課題を解決するための手段】
【０００７】
上記目的を達成するために、本発明の請求項１に記載の浴室ユニット（以下、「請求項
１の浴室ユニット」と記す）は、升状をした排水受け部と、この排水受け部から側方に向
かって延出する排水ノズルとを備える配管材が、洗い場パン側の排水経路に連結された前
記排水受け部によって浴槽パンの排水口からの排水を受けるように配置されるとともに、
前記排水ノズルが、洗い場パン側の排水経路と連結されていて、浴槽排水管挿入孔と浴槽
パンから排水経路となる排水孔とが穿設された蓋が、浴槽パンの排水口に嵌め込まれてお
り、浴槽が浴槽パンによって下方から受けられ、浴槽の排水口から延出する浴槽排水管が
前記浴槽排水管挿入孔を介して排水受け部内を臨むように装着されていて、排水受け部側
から浴槽パンの排水口側へ逆流しようとする排水の水圧によって浮き上がり、前記排水孔
を下方から塞ぐフロート弁が、前記蓋の下方に設けられている浴室ユニットであって、浴
槽排水管から浴槽排水管挿入孔を介して排水受け部側へ流入する浴槽排水を、直接排水ノ
ズルに流入させるガイド管路が、排水受け部内に設けられていることを特徴としている。
【０００８】
本発明の請求項２に記載の浴室ユニット（以下、「請求項２の浴室ユニット」と記す）
は、請求項１の浴室ユニットにおいて、一端が排水受け部の排水ノズル開口端に略連結さ
れ、他端が排水受け部内に開口する第１管路部を備え、排水受け部の底に沿って設けられ
た第１管路部材と、一端が蓋の浴槽排水管挿入孔に連結され、エルボ形状をした第１管路
部と略同径の第２管路部と、第２管路部の他端から軸方向に延出する第１管路部の上側周
面に上方から重合される重合部とを有する第２管路部材とを備え、第２管路部材の重合部
が第１管路部の上側周面に上方から重合され、第２管路部の他端と、第１管路部の他端と
がその端面を突き合わせた状態でガイド管路が形成されることを特徴としている。
【発明の効果】
【０００９】
本発明の請求項１の浴室ユニットは、以上のように、浴槽排水管から浴槽排水管挿入孔
を介して排水受け部側へ流入する浴槽排水を、直接排水ノズルに流入させるガイド管路が
、排水受け部内に設けられているので、浴槽内からの排水が直接排水ノズルを介して洗い
場パン側へ排水される。したがって、排水受け部内で浴槽からの排水が泡立つことを防止
でき、結果として排水孔からの浴槽パン側への逆流水だけでなく泡の浸入も防止すること
ができ、浴槽パン内の汚染を防止できる。
【００１０】
本発明の請求項２の浴室ユニットは、以上のように、一端が排水受け部の排水ノズル開
口端に略連結され、他端が排水受け部内に開口する第１管路部を備え、排水受け部の底に
沿って設けられた第１管路部材と、一端が蓋の浴槽排水管挿入孔に連結され、エルボ形状
をした第１管路部と略同径の第２管路部と、第２管路部の他端から軸方向に延出する第１
管路部の上側周面に上方から重合される重合部とを有する第２管路部材とを備え、第２管
路部材の重合部が第１管路部の上側周面に上方から重合され、第２管路部の他端と、第１
管路部の他端とがその端面を突き合わせた状態でガイド管路が形成されるので、蓋を浴槽
パンの排水口から取り外せば、第２管路部材が蓋とともに取り外せ、排水受け部内の清掃
が容易に行える。しかも、重合部が重合部が第１管路部の上側周面に上方から重合された
状態で第１管路部と第２管路部とが連結されるので、重合部によって、第１管路部と第２
管路部と継ぎ目部分からの泡の流出を確実に抑えることができる。
【発明を実施するための最良の形態】
【００１１】
以下に、本発明を、その実施の形態をあらわす図面を参照しつつ詳しく説明する。
図１〜図８は、本発明にかかる浴室ユニットの１つの実施の形態をあらわしている。
【００１２】
図１に示すように、この浴室ユニットＡは、洗い場パン１と、浴槽パン２と、浴槽３と
、壁パネル４とを備えている。
洗い場パン１は、洗い場床１１の最下流部に排水口１１が設けられ、排水口１１の下側
に排水経路の一部を構成する排水トラップ（図示せず）が設置されている。
【００１３】
浴槽パン２は、洗い場パン１と別部材で形成されていて、図示していないが、洗い場パ
ン１と側縁部同士が止水材を介して水密に接合されていて、その底面２１が洗い場床１１
より低い位置に設けられている。
図２に示すように、底面２１の最下流部には排水口２２が設けられ、排水口２２の下方
には、連通管路の一部を構成し、升状をした排水受け部５１と、この排水受け部５１から
側方に向かって延出する排水ノズル５２とを備える配管材５が、排水受け部５１によって
浴槽パン２からの排水を受けるように配置されている。
【００１４】
排水受け部５１の底には、図２および図３に示すように、合成樹脂製の第１管路部材６
が接着剤を介して固定されている。
第１管路部材６は、一端が排水受け部５１の排水ノズル開口端に略連結され、他端が排
水受け部５１内に開口しガイド管部の一部を形成する第１管路部６１と、第１管路部６１
の両側に略平行に設けられ、一端が排水受け部５１内に開口し、他端が第１管路部６１の
排水ノズル５２側の端部で第１管路部６１に開口する排水受け部排水路６２とを備えてい
る。
【００１５】
排水ノズル５２は、連通管路の一部を構成するフレキシブル管５３を介して排水トラッ
プに接続されている。
浴槽パン２の排水口２２には、蓋受け部材７が装着され、この蓋受け部材７に蓋８が嵌
め込まれている。
【００１６】
すなわち、蓋受け部材７は、排水口２２の内径より少し外径が小さい筒部７１と、筒部
７１の上端から外側に張り出し、排水口２２の周縁に係止される鍔状係止部７２と、筒部
７１の下端から内側にリング状に張り出す蓋受け部７３とを備えている。そして、鍔状係
止部７２が排水口２２の周縁に嵌着されたリング状パッキン７４を介して排水口２２の周
縁部に下方から受けられるとともに、筒部７１の下端部が排水受け部５１の内部に嵌まり
込んだ状態で装着されている。
なお、図２中、Ｓはシール材である。
【００１７】
蓋８は、蓋本体８１と、連結筒部８２と、嵌着筒部８３とを備えている。
蓋本体８１は、図４に示すように、中央に浴槽排水管挿通孔となる連結筒部８２の一端
が開口しているとともに、１つの円弧状をした浴槽パン排水孔８４が穿設されている。
【００１８】
浴槽パン排水孔８４は、その周縁部が下面側にリップ状に突出しているリップ状突出部
８５を備えている。
また、蓋本体８１の下面の残部にこのリップ状突出部８５と同じ高さで下方に突出する
突起８６を蓋本体８１の中心点を中心とする同一円周上に等間隔で５個（図では１つしか
あらわれていない）備えている。
【００１９】
連結筒部８２は、蓋本体８１の下方に向かって筒状に延出している。
嵌着筒部８３は、蓋本体８１の外縁から下方に向かって筒状に延出し、パッキン□がそ
の周囲に外嵌された状態で蓋受け部材７の筒部７１に嵌まり込み、その下端が蓋受け部材
７の蓋受け部７３によって下方から受けられるようになっている。
【００２０】
蓋本体８１の下方には、フロート弁Ｆが設けられている。フロート弁Ｆは、比重１未満
の材料で形成され、その内径が連結筒部８２の外径より少し大きく、その外径が嵌着筒部
８３の内径より小径のリング状をしていて、後述する第２管路部材９の弁係止部９３によ
って、連結筒部８２に遊嵌状態で支持されている。
【００２１】
第２管路部材９は、図２および図５に示すように、ガイド管部の残部を形成する第２管
路部９１と、重合部９２と、弁係止部９３と、リブ９４とを備えている。
第２管路部９１は、エルボ形状をしていて、上流側の端部が連結筒部８２に外嵌され、
下流側でその内径が第１管路部６１の上流側端部と略同じ径になっている。
【００２２】
重合部９２は、第２管路部９１の下流側端部から第２管路部９１の軸方向に半円筒状に
張り出し、その内径が、第１管路部６１の外径と略同じに形成され、第２管路部９１の下
流側端面と第１管路部６１と上流側端面とが突き合った状態になったとき、第１管路部６
１の上側周面に重なり合うようになっている。
弁係止部９３は、第２管路部９１の連結筒部８２に外嵌される部分から外側に鍔状に張
り出し、フロート弁Ｆを下方から受けるようになっていて、その上面にフロート弁Ｆの一
部が点接触で受けられ複数の突起９５が突設されている。
【００２３】
リブ９４は、第２管路部９１の曲がり部の外側コーナー部から外側に延出するように設
けられていて、第２管路部材９が正常状態で排水受け部５１内にセットされると、排水受
け部５１の内壁面に支持されるようになっている。
浴槽排水管２５は、中間部がフレキシブル管２６で形成されていて、一方の端が、浴槽
３の排水口に接続され、他方の端部に設けられたエルボ形状をした蓋接続部２７の先端部
（下流側端部）が蓋８の排水管挿入孔としての連結筒部８２に水密に嵌着されている。
【００２４】
蓋接続部２７は、ゴム製の蓋接続部本体２７ａと、合成樹脂あるいは金属材料で形成さ
れたノズル部材２７ｂとから構成されている。
ノズル部材２７ｂは、蓋接続部本体２７ａ内に内嵌された嵌合部２７ｃと、この嵌合部
２７ｃから延出する空気抜き孔となるノズル２７ｄとを備え、ノズル２７ｄが蓋接続部本
体２７ａの曲がりの外側コーナー部に穿設された貫通孔から外部に突出していて、ノズル
２７ｄを介して蓋接続部本体２７ａの内外が連通している。
【００２５】
また、ノズル２７ｄに、通気管としてのゴム管２８の一端が外嵌され、ゴム管２８の他
端が浴槽３内に貯水される湯の定常貯水高さより高い位置に開放状態になるように浴槽３
の外壁面に固定バンド２９を介して固定されている。
【００２６】
以下に、この浴室ユニットの施工方法を説明する。
（１）洗い場パン１と浴槽パン２との連通管路およびこの連通管路に接続される排水管
を床基礎上に施工するとともに、洗い場パン１の排水口と浴槽パン２の排水口とをそれぞ
れ連通管路に接続する。
【００２７】
（２）蓋受け部材７の筒部７１をシール材Ｓを介在させた状態で排水受け部５１の上部
開口に嵌合させ、配管材５の排水受け部５１を排水口２２の下方に固定する。
つぎに、蓋８の連結筒部８２にフロート弁Ｆを外嵌させた状態で、第２管路部材９の第
２管路部９１の上端部を連結筒部８２に外嵌させて、フロート弁Ｆを弁係止部９３に係止
させ、蓋８、フロート弁Ｆおよび第２管路部材９を一体に組み立てた後、嵌着筒部８３に
リング状パッキン７４を外嵌した状態で嵌着筒部８３の下端が蓋受け部材７の蓋受け部７
３に受けられるように筒部７１内に嵌着する。この状態で第２管路部９１の下流側端面と
第１管路部６１と上流側端面とが突き合い、リブ９４が排水受け部５１の底に受けられ、
重合部９２が第１管路部６１の上流側端部に上方から重なり合った状態になる。
【００２８】
（３）浴槽排水管２５の一端を浴槽３の排水口に接続するとともに、蓋接続部２７の先
端を連結筒部８２内に嵌合したのち、ノズル２７ｄに一端を接続したゴム管２８の他端を
浴槽３内に貯水される湯の定常貯水高さより高い位置で浴槽３の外壁面に固定バンド２９
を介して固定する。
（４）浴槽３の框部の外縁を壁パネル４の係止金具４１に係止させるとともに、浴槽３
の底を浴槽パン２の浴槽受け部２４に受けられるようにセットする。
【００２９】
（５）浴槽３に給水配管等のその他の機器を必要に応じて取り付けたのち、エプロン（
図示せず）を洗い場との間に取り付けて浴槽パン２および浴槽３の外壁面を隠蔽する。
【００３０】
この浴室ユニットＡは、以上のようになっており、浴槽３内の湯や水を排水する場合、
浴槽排水管２５を通った排水は、ガイド管路としての第２管路部９１および第１管路部６
１を通って、排水ノズルに直接流れ込み、フレキシブル管５３および排水トラップを介し
て排水路に排出される。したがって、排水受け部５１内で浴槽からの排水の泡立ちが無く
なり、泡が浴槽パン排水孔８４を介して浴槽パン２側に入り込むということがない。
【００３１】
また、ガイド管路内で排水が泡立っても、第２管路部９１と第１管路部６１との継ぎ目
部分において、重合部９２が設けられているので継ぎ目部分からの泡漏れも防止すること
ができる。
さらに、浴槽排水管２５は、ノズル２７ｄおよびゴム管２８を介して空気抜きされるの
で、多量の水がスムーズに流れ、浴槽３内に溜められた湯や水を短時間で排水することが
できる。したがって、浴槽３内の洗浄作業等を短時間で済ますことができる。
【００３２】
一方、洗い場パン１側から多量の排水が排水トラップに流れ込み、排水受け部５１内に
その排水が逆流してきたとしても、フロート弁Ｆが逆流してきた排水の圧力によって浮き
上がり、浴槽パン排水孔８４を閉鎖するので、逆流してきた排水が浴槽パン２側に入り込
むことがない。
また、万一、洗い場パン１の排水口２２が詰まるなどして洗い場パン１内に排水があふ
れ、エプロンの下端から浴槽パン２内に流入した場合、浴槽パン排水孔８４が設けられて
いるので、この浴槽パン排水孔８４から排水受け部５１および排水受け部排水路６２を介
してノズル部を通り排水される。
【００３３】
本発明は、上記の実施の形態に限定されない。たとえば、上記の実施の形態では、浴槽
パンと洗い場パンとが別体に成形されていたが、一体成形されていても構わない。
上記の実施の形態では、浴槽パンの排水孔が蓋本体に１つしか形成されていなかったが
、複数の排水孔がリング状に並んで設けられていても構わない。
【図面の簡単な説明】
【００３４】
【図１】本発明にかかる浴室ユニットの浴槽設置状態をあらわす浴室の斜視図である。
【図２】図１の浴室ユニットの浴槽パン排水口の付近の断面図である。
【図３】図１の浴室ユニットの浴槽パン排水口の蓋を取り除いた状態の斜視図である。
【図４】図１の浴室ユニットの浴槽パン排水口の付近の平面図である。
【図５】図１の浴室ユニットの第２管路部材の斜視図である。
【図６】図１の浴室ユニットの組立工程を説明する説明図であって、その浴槽排水管の接続前の状態をあらわしている。
【図７】図１の浴室ユニットの組立工程を説明する説明図であって、その浴槽へのゴム管の取り付け状態をあらわしている。
【図８】図１の浴室ユニットの組立工程を説明する説明図であって、浴槽排水管が蓋の連結筒部に挿入された状態をあらわしている。
【図９】従来の浴室ユニットの浴槽パン排水口付近の断面図である。
【符号の説明】
【００３５】
Ａ  浴室ユニット
１  洗い場パン
２  浴槽パン
２５  浴槽排水管
２８  ゴム管（通気管）
２７ｄ  ノズル（空気抜き孔）
３  浴槽
５  配管材
５１  排水受け部
５２  排水ノズル
６  第１管路部材
６１  第１管路部（ガイド管路）
８  蓋
８２  連結筒部（浴槽排水管挿入孔）
９  第２管路部材
９１  第２管路部（ガイド管路）
９２  重合部
【図１】
2006002359.tif 000003
【図２】
2006002359.tif 000004
【図３】
2006002359.tif 000005
【図４】
2006002359.tif 000006
【図５】
2006002359.tif 000007
【図６】
2006002359.tif 000008
【図７】
2006002359.tif 000009
【図８】
2006002359.tif 000010
【図９】
2006002359.tif 000011